(57)【要約】【課題】ウェブ上のアンケートにおいて、広告在庫への影響を抑制しつつ、優れた信頼性を実現すること。【解決手段】クッキー記憶手段１５に記憶させておいたクッキー情報のなかから、抽出手段２０がアンケートの対象とするクッキー情報を無作為に抽出する。特定ページへのアクセスについては、そのアクセス元の端末Ｔについてクッキー処理手段１０が取得したクッキー情報が、対象記憶手段２５に記憶されているいずれかの対象クッキー情報に適合するかしないかを、判断手段３０が判断する。アンケート表示手段４０は、クッキー情報が適合すると判断された端末Ｔに対しては、該当するアンケートについて内容等の情報（設問文や選択肢など）を所定のアンケート記憶手段４５から読み出し、特定ページの所定の広告枠に前記アンケートを実施するための情報を表示する。【選択図】図１
2011048410.tif 000002
【特許請求の範囲】
【請求項１】
通信ネットワーク経由でアクセスしてくるクライアント端末に対し、サーバコンピュータがウェブページにおけるアンケートを配信するアンケート配信装置において、
前記クライアント端末に対しクッキー情報の書込及び取得を行うクッキー処理手段と、
各クライアント端末に記録したクッキー情報を記憶しているクッキー記憶手段と、
前記クッキー記憶手段に記憶されているクッキー情報から、アンケートの対象とするクッキー情報を無作為に抽出する抽出手段と、
アンケートの対象として抽出された各クッキー情報を記憶する対象記憶手段と、
所定のウェブページへのアクセスに係る前記クライアント端末について前記クッキー処理手段が取得した前記クッキー情報が、前記対象記憶手段に記憶されているいずれかの前記クッキー情報に適合するかしないかを判断する判断手段と、
前記クッキー情報が適合すると判断された前記クライアント端末に対しては、前記所定のウェブページの所定の広告枠に前記アンケートを実施するための情報を表示するアンケート表示手段と、
前記クッキー情報が適合しないと判断された前記クライアント端末に対しては、前記所定のウェブページの前記広告枠に広告を表示する広告表示手段と、
を有することを特徴とするアンケート配信装置。
【請求項２】
通信ネットワーク経由でアクセスしてくるクライアント端末に対し、サーバコンピュータがウェブページにおけるアンケートを配信するアンケート配信装置において、
前記クライアント端末に対しクッキー情報の書込及び取得を行うクッキー処理手段と、
各クライアント端末に記録したクッキー情報を記憶しているクッキー記憶手段と、
前記クッキー記憶手段に記憶されているクッキー情報から、アンケートの対象とするクッキー情報を無作為に抽出する抽出手段と、
アンケートの対象として抽出された前記各クッキー情報を記憶する対象記憶手段と、
所定の広告枠を含む所定のウェブページにアクセスしてくる前記各クライアント端末に対し、その所定のウェブページを表示するためのウェブページデータを送信するデータ送信手段と、
を有し、
前記ウェブページデータは、
前記対象記憶手段に記憶されている前記各クッキー情報のリストと、
コンピュータ・プログラムと、を有し、
前記コンピュータ・プログラムは、前記クライアント端末を制御することにより、
そのクライアント端末の記憶しているクッキー情報が、前記リスト内のいずれかの前記クッキー情報に適合するかしないかを判断させ、
前記クッキー情報が適合すると判断された場合は、前記所定のウェブページの前記広告枠に前記アンケートを実施するための情報を表示させ、
前記クッキー情報が適合しないと判断された場合は、前記所定のウェブページの前記広告枠に広告を表示させる
ことを特徴とするアンケート配信装置。
【請求項３】
所定の広告枠を含む所定のウェブページに通信ネットワーク経由でアクセスしてくるクライアント端末に対し、サーバコンピュータであるアンケート配信装置が、その所定のウェブページを表示するためのウェブページデータの一部として送信するコンピュータ・プログラムであって、
そのコンピュータ・プログラムは、
過去にアクセスしてきた各クライアント端末の各クッキー情報からアンケートの対象として前記アンケート配信装置により無作為に抽出された各クッキー情報のリストを有し、
前記クライアント端末を制御することにより、
そのクライアント端末の記憶しているクッキー情報が、前記リスト内のいずれかの前記クッキー情報に適合するかしないかを判断させ、
前記クッキー情報が適合すると判断された場合は、前記所定のウェブページの前記広告枠に前記アンケートを実施するための情報を表示させ、
前記クッキー情報が適合しないと判断された場合は、前記所定のウェブページの前記広告枠に広告を表示させる
ことを特徴とするコンピュータ・プログラム。
【請求項４】
通信ネットワーク経由でアクセスしてくるクライアント端末に対し、サーバコンピュータがウェブページにおけるアンケートを配信するアンケート配信方法において、
前記クライアント端末に対しクッキー情報の書込及び取得を行うとともに、各クライアント端末に記録したクッキー情報を所定のクッキー記憶手段に記憶させるクッキー処理と、
前記クッキー記憶手段に記憶されているクッキー情報から、アンケートの対象とするクッキー情報を無作為に抽出するとともに、アンケートの対象として抽出された各クッキー情報を所定の対象記憶手段に記憶させる抽出処理と、
所定のウェブページへのアクセスに係る前記クライアント端末について前記クッキー処理で取得した前記クッキー情報が、前記対象記憶手段に記憶されているいずれかの前記クッキー情報に適合するかしないかを判断する判断処理と、
前記クッキー情報が適合すると判断された前記クライアント端末に対しては、前記所定のウェブページにおける所定の広告枠に前記アンケートを実施するための情報を表示するアンケート表示処理と、
前記クッキー情報が適合しないと判断された前記クライアント端末に対しては、前記所定のウェブページの前記広告枠に広告を表示する広告表示処理と、
を含むことを特徴とするアンケート配信方法。
【請求項５】
通信ネットワーク経由でアクセスしてくるクライアント端末に対し、サーバコンピュータがウェブページにおけるアンケートを配信するアンケート配信方法において、
前記クライアント端末に対しクッキー情報の書込及び取得を行うとともに、各クライアント端末に記録したクッキー情報を所定のクッキー記憶手段に記憶させるクッキー処理と、
前記クッキー記憶手段に記憶されているクッキー情報から、アンケートの対象とするクッキー情報を無作為に抽出するとともに、アンケートの対象として抽出された各クッキー情報を所定の対象記憶手段に記憶させる抽出処理と、
所定の広告枠を含む所定のウェブページにアクセスしてくる前記各クライアント端末に対し、その所定のウェブページを表示するためのウェブページデータを送信するデータ送信処理と、
を有し、
前記ウェブページデータは、
前記対象記憶手段に記憶されている前記各クッキー情報のリストと、
コンピュータ・プログラムと、を有し、
前記コンピュータ・プログラムは、前記クライアント端末を制御することにより、
そのクライアント端末の記憶しているクッキー情報が、前記リスト内のいずれかの前記クッキー情報に適合するかしないかを判断させ、
前記クッキー情報が適合すると判断された場合は、前記所定のウェブページの前記広告枠に前記アンケートを実施するための情報を表示させ、
前記クッキー情報が適合しないと判断された場合は、前記所定のウェブページの前記広告枠に広告を表示させる
ことを特徴とするアンケート配信方法。
【発明の詳細な説明】
【技術分野】
【０００１】
本発明は、ウェブページ上でアンケートを行う技術に関する。
【背景技術】
【０００２】
従来、インターネットのウェブページを用いてアンケートを行う技術として、ウェブページのバナー広告枠などにアンケートを表示し回答してもらう例が提案されていた（例えば、特許文献１参照）。この種のアンケートをあるページ上で開始した場合は、そのページへのアクセスごとに、問題と回答選択肢を表示して回答操作を受け付けて記録してゆく処理を、計画の数に達するまで継続していた。
【先行技術文献】
【特許文献】
【０００３】
【特許文献１】特開２００３−４４６４８号公報
【発明の概要】
【発明が解決しようとする課題】
【０００４】
しかし、上記のような従来技術では、あるページでアンケートが一旦開始されると、そのページのバナー広告枠はアンケートに置換えて用いられるため、受注した広告の表示場所として使えず、いわゆる広告在庫への影響が大きいという課題があった。また、同じパソコンに対してクッキーなどを用いてアンケートの重複を回避する工夫は試みられていたが、同じ人でも職場と自宅のように異なるパソコンでは、アンケートの継続中は同じアンケートが表示されて重複回答となる可能性が高く、アンケート結果の信頼性を損なう可能性があるという課題もあった。
【０００５】
本発明は、上記のような課題に対応するもので、その目的は、ウェブ上のアンケートにおいて、アンケート回答対象者を偏りなく抽出し、広告在庫への影響を抑制しつつ、優れた信頼性を実現することである。
【課題を解決するための手段】
【０００６】
上記の目的をふまえ、本発明の一態様は、通信ネットワーク経由でアクセスしてくるクライアント端末に対し、サーバコンピュータがウェブページにおけるアンケートを配信するアンケート配信装置において、前記クライアント端末に対しクッキー情報の書込及び取得を行うクッキー処理手段と、各クライアント端末に記録したクッキー情報を記憶しているクッキー記憶手段と、前記クッキー記憶手段に記憶されているクッキー情報から、アンケートの対象とするクッキー情報を無作為に抽出する抽出手段と、アンケートの対象として抽出された各クッキー情報を記憶する対象記憶手段と、所定のウェブページへのアクセスに係る前記クライアント端末について前記クッキー処理手段が取得した前記クッキー情報が、前記対象記憶手段に記憶されているいずれかの前記クッキー情報に適合するかしないかを判断する判断手段と、前記クッキー情報が適合すると判断された前記クライアント端末に対しては、前記所定のウェブページの所定の広告枠に前記アンケートを実施するための情報を表示するアンケート表示手段と、前記クッキー情報が適合しないと判断された前記クライアント端末に対しては、前記所定のウェブページの前記広告枠に広告を表示する広告表示手段と、有することを特徴とする。
【０００７】
上記態様を方法という見方から捉えれば、通信ネットワーク経由でアクセスしてくるクライアント端末に対し、サーバコンピュータがウェブページにおけるアンケートを配信するアンケート配信方法において、前記クライアント端末に対しクッキー情報の書込及び取得を行うとともに、各クライアント端末に記録したクッキー情報を所定のクッキー記憶手段に記憶させるクッキー処理と、前記クッキー記憶手段に記憶されているクッキー情報から、アンケートの対象とするクッキー情報を無作為に抽出するとともに、アンケートの対象として抽出された各クッキー情報を所定の対象記憶手段に記憶させる抽出処理と、所定のウェブページへのアクセスに係る前記クライアント端末について前記クッキー処理で取得した前記クッキー情報が、前記対象記憶手段に記憶されているいずれかの前記クッキー情報に適合するかしないかを判断する判断処理と、前記クッキー情報が適合すると判断された前記クライアント端末に対しては、前記所定のウェブページにおける所定の広告枠に前記アンケートを実施するための情報を表示するアンケート表示処理と、前記クッキー情報が適合しないと判断された前記クライアント端末に対しては、前記所定のウェブページの前記広告枠に広告を表示する広告表示処理と、を含むことを特徴とする。
【０００８】
このように、ブラウザに記録させた多数のクッキーから無作為抽出することで抽出に偏りをなくし、これら抽出した一部のユーザに限定して、所定のウェブページにアクセスしたとき広告枠に代えてアンケートを配信し回答を取得することにより、大多数の広告枠は本来の広告を表示できるので広告在庫への影響は最小限に抑制でき、しかも、職場と自宅などで同じ人に対し同じアンケートに重複して回答を求める確率が小さくなるので、アンケート結果の優れた信頼性も実現できる。
【０００９】
本発明の他の態様は、通信ネットワーク経由でアクセスしてくるクライアント端末に対し、サーバコンピュータがウェブページにおけるアンケートを配信するアンケート配信装置において、前記クライアント端末に対しクッキー情報の書込及び取得を行うクッキー処理手段と、各クライアント端末に記録したクッキー情報を記憶しているクッキー記憶手段と、前記クッキー記憶手段に記憶されているクッキー情報から、アンケートの対象とするクッキー情報を無作為に抽出する抽出手段と、アンケートの対象として抽出された前記各クッキー情報を記憶する対象記憶手段と、所定の広告枠を含む所定のウェブページにアクセスしてくる前記各クライアント端末に対し、その所定のウェブページを表示するためのウェブページデータを送信するデータ送信手段と、を有し、前記ウェブページデータは、前記対象記憶手段に記憶されている前記各クッキー情報のリストと、コンピュータ・プログラムと、を有し、前記コンピュータ・プログラムは、前記クライアント端末を制御することにより、そのクライアント端末の記憶しているクッキー情報が、前記リスト内のいずれかの前記クッキー情報に適合するかしないかを判断させ、前記クッキー情報が適合すると判断された場合は、前記所定のウェブページの前記広告枠に前記アンケートを実施するための情報を表示させ、前記クッキー情報が適合しないと判断された場合は、前記所定のウェブページの前記広告枠に広告を表示させることを特徴とする。
【００１０】
上記態様を方法という見方から捉えれば、通信ネットワーク経由でアクセスしてくるクライアント端末に対し、サーバコンピュータがウェブページにおけるアンケートを配信するアンケート配信方法において、前記クライアント端末に対しクッキー情報の書込及び取得を行うとともに、各クライアント端末に記録したクッキー情報を所定のクッキー記憶手段に記憶させるクッキー処理と、前記クッキー記憶手段に記憶されているクッキー情報から、アンケートの対象とするクッキー情報を無作為に抽出するとともに、アンケートの対象として抽出された各クッキー情報を所定の対象記憶手段に記憶させる抽出処理と、所定の広告枠を含む所定のウェブページにアクセスしてくる前記各クライアント端末に対し、その所定のウェブページを表示するためのウェブページデータを送信するデータ送信処理と、を有し、前記ウェブページデータは、前記対象記憶手段に記憶されている前記各クッキー情報のリストと、コンピュータ・プログラムと、を有し、前記コンピュータ・プログラムは、前記クライアント端末を制御することにより、そのクライアント端末の記憶しているクッキー情報が、前記リスト内のいずれかの前記クッキー情報に適合するかしないかを判断させ、前記クッキー情報が適合すると判断された場合は、前記所定のウェブページの前記広告枠に前記アンケートを実施するための情報を表示させ、前記クッキー情報が適合しないと判断された場合は、前記所定のウェブページの前記広告枠に広告を表示させることを特徴とする。
【００１１】
上記態様をコンピュータ・プログラムという見方から捉えれば、所定の広告枠を含む所定のウェブページに通信ネットワーク経由でアクセスしてくるクライアント端末に対し、サーバコンピュータであるアンケート配信装置が、その所定のウェブページを表示するためのウェブページデータの一部として送信するコンピュータ・プログラムであって、そのコンピュータ・プログラムは、過去にアクセスしてきた各クライアント端末の各クッキー情報からアンケートの対象として前記アンケート配信装置により無作為に抽出された各クッキー情報のリストを有し、前記クライアント端末を制御することにより、そのクライアント端末の記憶しているクッキー情報が、前記リスト内のいずれかの前記クッキー情報に適合するかしないかを判断させ、前記クッキー情報が適合すると判断された場合は、前記所定のウェブページの前記広告枠に前記アンケートを実施するための情報を表示させ、前記クッキー情報が適合しないと判断された場合は、前記所定のウェブページの前記広告枠に広告を表示させることを特徴とする。
【００１２】
これらの態様では、ブラウザに記録させた多数のクッキーから無作為抽出することで抽出に偏りをなくし、これら抽出した一部のユーザに限定して、所定のウェブページにアクセスしたとき広告枠に代えてアンケートを配信し回答を取得することにより、大多数の広告枠は本来の広告を表示できるので広告在庫への影響は最小限に抑制でき、しかも、職場と自宅などで同じ人に対し同じアンケートに重複して回答を求める確率が小さくなるので、アンケート結果の優れた信頼性も実現できる。
【００１３】
特に、アンケート対象のクッキー情報のリストと、このリストに端末のクッキーが一致すれば広告に代えアンケートを表示するプログラムを、ウェブページデータのスクリプト記述などの形で端末に送信して実行させることで、動作の迅速化とサーバ負荷の端末への分散が可能となる。
【００１４】
なお、上記の各態様に対応する方法又はプログラムといった他のカテゴリや、以下に説明するさらに具体的な各態様も、本発明に含まれる。
【発明の効果】
【００１５】
以上のように、本発明によれば、ウェブ上のアンケートにおいて、アンケート回答対象者を偏りなく抽出し、広告在庫への影響を抑制しつつ、優れた信頼性を実現することが可能となる。
【図面の簡単な説明】
【００１６】
【図１】本発明の実施形態の構成を示す機能ブロック図。
【図２】本発明の実施形態における各情報（データ）を例示する図。
【図３】本発明の実施形態における処理手順を示すフローチャート。
【図４】本発明の実施形態において広告枠にアンケートを表示している特定ページを例示する図。
【図５】本発明の実施形態において広告枠にアンケートを表示している特定ページの他の例を示す図。
【図６】本発明の第２実施形態の構成を示す機能ブロック図。
【図７】本発明の第２実施形態におけるプログラムを例示する概念図。
【図８】本発明の第２実施形態における処理手順を示すフローチャート。
【発明を実施するための形態】
【００１７】
次に、本発明を実施するための形態（「実施形態」と呼ぶ）について、図に沿って説明する。なお、背景技術や課題などで既に述べた内容と共通の前提事項については適宜省略する。
【００１８】
〔１．構成〕
本実施形態は、図１（構成図）に示すように、通信ネットワークＮ経由でアクセスしてくるクライアント端末（以下、単に「端末」とも呼ぶ）Ｔに対し、サーバコンピュータとしてウェブページにおけるアンケートを配信するアンケート配信装置（以下「本装置」とも呼ぶ）１に関するものである。この本装置１は、一般的なコンピュータの構成として、少なくとも、ＣＰＵなどの演算制御部５と、外部記憶装置（ＨＤＤ等）や主メモリ等の記憶装置６と、通信ネットワーク（インターネットや携帯電話網など）Ｎとの通信手段７（ＬＡＮアダプタなど）と、を有する。
【００１９】
また、端末Ｔは、不特定多数のパーソナルコンピュータや携帯電話端末装置などであり、本装置１は端末ＴのウェブブラウザにＨＴＭＬや画像などのウェブページデータを送信して、ページ表示や操作受付などの情報授受を行う。なお、図中の「通信ネットワークＮ」を通る太い実線は、本装置１と端末Ｔとの各通信（図中、破線矢印で示す）が実際は通信ネットワークＮを経由して行われることを意味している。
【００２０】
本装置１では、記憶装置６に予め記憶（インストール）した図示しない所定のコンピュータ・プログラムが演算制御部５を制御することで、図１に示す各手段などの要素（１０，２０…など）を実現する。これら各要素のうち、情報の記憶手段は、記憶装置６において各種データベース（「ＤＢ」とも表す）やファイル、データ構造体、配列等の変数、システム設定値など任意の形式で実現できる。
【００２１】
これら記憶手段のうち、クッキー記憶手段１５は、各端末Ｔに記録したクッキー情報を記憶している手段であり、図２（１）の例では、各クッキー情報としてクッキーに記録されている文字列もしくはその一部などと、そのクッキーを保持している端末Ｔが本装置１に最初又は最後にアクセスした日時と、を対応付けて記憶している。
【００２２】
また、対象記憶手段２５は、クッキー記憶手段１５に記憶されている各クッキー情報の中からアンケートの対象として抽出された各クッキー情報を記憶する手段であり、図２（２）の例では、アンケート案件ごとに、対象とするクッキー情報を対応付けて記憶しており、そのクッキーの端末Ｔに対するアンケートが終了すると「−（済）」のようにアンケート案件の情報を変更して同一端末への重複アンケートを防いでいる。なお、記憶手段以外の各手段は、以下に説明する情報処理の機能・作用を実現・実行する処理手段である。
【００２３】
〔２．作用〕
上記のように構成した本装置１の動作の概要を、図３のフローチャートに示す。
〔２−１．行動履歴の記録〕
まず、本装置１では、クッキー処理手段１０が、普段から各端末Ｔに対しクッキー情報の書込及び取得を行っており、具体的には、アクセスを待ち受けて（ステップＳ２）アクセスがあるたびにアクセス元の端末Ｔでブラウザに記録されているクッキー情報（以下「ユーザクッキー」とも呼ぶこととする）の読み取りを試行し（ステップＳ３）、読み取れない場合は（ステップＳ４：「ＮＯ」）新規クッキーを発行して端末Ｔに記憶させると共にクッキー記憶手段１５（例えば図２（１））に記録する（ステップＳ１１）。
【００２４】
本実施形態では、アンケートを実施する場合、まず、上記のようにクッキー処理手段１０が普段からクッキー記憶手段１５に記憶させておいたクッキー情報のなかから、抽出手段２０がアンケートの対象とするクッキー情報（以下「対象クッキー」と呼ぶこととする）を無作為に抽出して対象記憶手段２５（例えば図２（２））に記録する（ステップＳ１）。ここで、対象を無作為抽出する具体的手法は、単純抽出法、等間隔抽出法、層別抽出法、多段抽出法、その他、自由に選択してよい。
【００２５】
そして、端末Ｔからクッキーを読み取れなかった場合（ステップＳ４：「ＮＯ」）や端末Ｔのアクセス先が所定のウェブページ（以下「特定ページ」とも呼ぶ）でなかった場合は（ステップＳ５：「ＮＯ」）、従来に準じた通常のウェブサーバ機能によりアクセス対象のページを表示するが（ステップＳ１２）、特定ページへのアクセスについては（ステップＳ５：「ＹＥＳ」）、判断手段３０が、そのアクセス元の端末Ｔについてクッキー処理手段１０が取得したクッキー情報が、対象記憶手段２５に記憶されているいずれかの対象クッキー情報に適合するかしないかを判断する（ステップＳ６）。なお、クッキー情報を構成するバイト列等の必ずしも全長を適合の判断において対象とする必要はなく、クッキーや端末Ｔの識別や確認に最低限必要な部分を対象とすれば対象クッキーの記憶容量も少なくて済み処理負荷も軽減できる。
【００２６】
そして、アンケート表示手段５０は、クッキー情報が適合すると判断された端末Ｔに対しては（ステップＳ６：「ＹＥＳ」）、該当するアンケートについて内容等の情報（設問文や選択肢など）を所定のアンケート記憶手段４５から読み出し（ステップＳ７）、特定ページの所定の広告枠に前記アンケートを実施するための情報を表示し（ステップＳ８）、アンケートへの回答があればそれを結果受信手段６２が受信し、所定の結果記憶手段６５に蓄積してアンケート実施者等による利用に適宜供する。
【００２７】
ここで、「アンケートを実施するための情報」は、図４に例示するように、広告枠Ｗ内に直接、設問や選択肢を表示して選択肢をマウスのポインタなどで直接操作可能とした画面内容Ａでもよいし、図５に例示するように、同様な広告枠Ｗ内にアンケート回答のお願いや特典などの案内Ｂを表示し、それらの表示を操作するとハイパーリンクなどで所定のアンケート実施ページへ画面遷移するようにしたものでもよく、これら「アンケートを実施するための情報」を「アンケート情報」又は単に「アンケート」とも呼ぶこととする。
【００２８】
一方、クッキー情報が適合しないと判断された端末Ｔに対しては（ステップＳ６：「ＮＯ」）、広告表示手段４０が、ユーザ属性などに合った広告の情報（例えば、バナー広告画像やハイパーリンクのリンク先ＵＲＬなど）を広告記憶手段３５から読み出して（ステップＳ９）、図示はしないが、特定ページの前記広告枠に通常通り広告を表示する（ステップＳ１０）。
【００２９】
〔３．効果〕
以上のように、本実施形態では、ブラウザに記録させた多数のクッキーから無作為抽出することで抽出に偏りをなくし、これら抽出した一部のユーザに限定して、所定のウェブページにアクセスしたとき広告枠に代えてアンケートを配信し回答を取得することにより、大多数の広告枠は本来の広告を表示できるので広告在庫への影響は最小限に抑制でき、しかも、職場と自宅などで同じ人に対し同じアンケートに重複して回答を求める確率が小さくなるので、アンケート結果の優れた信頼性も実現できる。
【００３０】
〔４．第２実施形態〕
上記実施形態（「第１実施形態」と呼ぶこととする）は、端末のクッキー情報がアンケート対象と適合するかを判断し、この判断結果に応じて広告枠に広告又はアンケート情報を表示する処理を、サーバであるアンケート配信装置側で行ったが、これらの処理は端末側へプログラムを送信して行わせてもよい（第２実施形態）。
【００３１】
以下、このような第２実施形態について、図６の構成図、図７のプログラムの図、図８のフローチャートに沿って、第１実施形態とは異なる特徴を中心に説明する。まず、クッキー処理手段１０（図６）が普段のアクセスに際し（図８のステップＳ３１，Ｓ２２，Ｓ２３，Ｓ２４）各端末Ｔに記録しクッキー記憶手段１５に記憶させた（ステップＳ２５）クッキー情報から、予め抽出手段２０が対象クッキーを無作為に抽出して対象記憶手段２５に記憶させる（ステップＳ２１）点は、第１実施形態と同様である。
【００３２】
一方、第２実施形態におけるアンケート配信装置１１では、対象クッキーに関連して、データ送信手段６０が、特定ページにアクセスしてくる各端末Ｔに対し（ステップＳ２６：「ＹＥＳ」）、その特定ページを表示するためのウェブページデータＤを生成し送信する（ステップＳ２８）。
【００３３】
このウェブページデータＤは、図７の概念図に例示するように、コンピュータ・プログラム（以下、単に「プログラム」とも呼ぶ）Ｐと、対象記憶手段２５に記憶されている各対象クッキーのリストＬと、を含む。ここで、プログラムＰの種類、規格、表現形式などは任意であり、また、リストＬは、プログラムＰの一部でもよいしプログラムＰとは別体のデータでもよい。すなわち、図７の例は、あくまで一例であるが、プログラムＰは、JavaScript（登録商標）のようなスクリプト言語で記述されたプログラム（スクリプト・プログラム）で、その一部として対象クッキーのリストＬを記述した部分を含む。
【００３４】
そして、端末Ｔが上記のようなウェブページデータを受信すると（ステップＳ３２）、そのウェブページデータに含まれるプログラムＰは特にコード群Ｃ（図７）で、端末Ｔの図示しない演算制御部を制御することにより、図６で判断部３２、広告表示部４２及びアンケート表示部５２として示す以下のような処理機能（図８において破線の矩形で囲んだ部分）を実現、実行する。
【００３５】
すなわち、プログラムＰは端末Ｔに、まず判断部３２として、その端末Ｔの記憶しているクッキー情報が、リストＬ内のいずれかの対象クッキーに適合するかしないかを判断させ（ステップＳ３３）、クッキー情報が適合すると判断された場合は（ステップＳ３３：「ＹＥＳ」）、アンケート表示部５２として、該当するアンケートについて内容等の情報を、ウェブページデータＤに予め含まれていればそれを読み出すか又は本装置１１に要求しアンケート記憶手段４５から読み出して送信されたものを受信させ（ステップＳ３６）、図４や図５に準じ、特定ページの広告枠にアンケート（アンケート情報）を表示させる（ステップＳ３７）。
【００３６】
一方、クッキー情報が適合しないと判断された場合は（ステップＳ３３：「ＮＯ」）、プログラムＰは端末Ｔに広告表示部４２として、広告の情報を本装置１１に要求し広告記憶手段３５から読み出して送信されたものを受信するか又はウェブページデータＤに予め含まれていればそれを読み出させ（ステップＳ３４）、特定ページの広告枠に広告を表示させる（ステップＳ３５）。
【００３７】
上記のような第２実施形態では、第１実施形態について述べた効果に加え、特に、対象クッキーのリストと、このリストに端末のクッキーが一致すれば広告に代えアンケートを表示するプログラムを、ウェブページデータのスクリプト記述などの形で端末Ｔに送信して実行させることで、動作の迅速化とサーバ負荷の端末への分散が可能となる。
【００３８】
〔５．他の実施形態〕
なお、上記各実施形態は例示に過ぎず、本発明は、以下に例示するものやそれ以外の他の実施態様も含むものである。例えば、各手段などの要素は、コンピュータの演算制御部に限らず、ワイヤードロジック等に基づく電子回路や、今後登場する非ノイマン型等の情報処理機構で実現してもよい。また、各構成図、データの図、フローチャートの図などは例示に過ぎず、各要素の有無、その順序や具体的内容などは適宜変更可能である。
【００３９】
例えば、上記各実施形態では、対象記憶手段と、広告記憶手段と、アンケート記憶手段と、を互いに別体に示したが、これは各機能を説明するためであり、これら各手段のうち二つ又は三つを任意の組合せで一体の記憶手段として実現してもよい。
【００４０】
また、本発明の装置は、複数のサーバコンピュータで実現してもよく、大規模な実施はそのほうが一般的と考えられ、例えば広告記憶手段は配信の機能を持つアドサーバなどと呼ばれるシステムとして実現されるケースが多い。また、機能によっては外部のプラットフォーム等をＡＰＩ（アプリケーション・プログラム・インタフェース）やネットワークコンピューティングなどで呼び出して実現するなど、構成は柔軟に変更できる。また、本発明は、各端末を含むクライアント・サーバ・システム全体や、そのようなシステム又は本装置に対応するものとしてコンピュータが実行する情報処理の方法やコンピュータ・プログラムとして本発明を把握することも可能である。
【００４１】
Ｎ  通信ネットワーク
Ｔ  端末
Ｄ  ウェブページデータ
Ｐ  プログラム
Ｌ  対象クッキーのリスト
Ｃ  コード群
１，１１  アンケート配信装置
５  演算制御部
６  記憶装置
７  通信手段
１０  クッキー処理手段
１５  クッキー記憶手段
２０  抽出手段
２５  対象記憶手段
３０  判断手段
３５  広告記憶手段
４０  広告表示手段
４５  アンケート記憶手段
５０  アンケート表示手段
６０  データ送信手段
６２  結果受信手段
６５  結果記憶手段
【図１】
2011048410.tif 000003
【図２】
2011048410.tif 000004
【図３】
2011048410.tif 000005
【図４】
2011048410.tif 000006
【図５】
2011048410.tif 000007
【図６】
2011048410.tif 000008
【図７】
2011048410.tif 000009
【図８】
2011048410.tif 000010